(57)【要約】【課題】、照明装置を提供する際の手間をなくし、照明装置を再利用でき、観客が自分の好みにあった照明装置を選択することができる。【解決手段】情報入力装置は、照明装置が使用される位置を特定する位置情報を受け付け、照明装置を識別する識別子を照明装置に出力し、管理装置は、受け付けられた位置情報と出力された識別子とを対応させた対応情報、照明装置の発光を制御する発光制御情報、を記憶部に記憶し、２以上の照明装置のうち、対応情報に基づいて特定された照明装置に発光制御情報を送信し、照明装置は、出力された識別子を記憶部に記憶し、送信された発光制御情報を受信し、受信した発光制御情報に基づいて照明手段の発光を制御する。【選択図】図１
2016122638.tif 000002
【特許請求の範囲】
【請求項１】
情報入力装置と、前記情報入力装置とネットワークを介して接続された管理装置と、前記管理装置とネットワークを介して接続される２以上の照明装置と、を有する照明装置発光制御システムであって、
前記情報入力装置は、
前記照明装置が使用される位置を特定する位置情報を受け付ける受付手段と、
前記照明装置を識別する識別子を前記照明装置に出力する出力手段と、
を備え、
前記管理装置は、
前記受付手段により受け付けられた位置情報と前記出力手段により出力された識別子とを対応させた対応情報、前記照明装置の発光を制御する発光制御情報、を記憶する情報記憶手段と、
前記２以上の照明装置のうち、前記対応情報に基づいて特定された照明装置に前記発光制御情報を送信する第２通信手段と、
を備え、
前記照明装置は、
照明手段と、
前記出力手段により出力された識別子を記憶する識別子記憶手段と、
前記第２通信手段により送信された前記発光制御情報を受信する受信手段と、
前記受信手段により受信した前記発光制御情報に基づいて前記照明手段の発光を制御する制御手段と、
を備えることを特徴とする照明装置発光制御システム。
【請求項２】
前記情報入力装置は、
前記受付手段により受け付けられた位置情報と前記出力手段により出力された識別子とを対応させた対応情報を記憶する記憶手段と、
前記記憶された対応情報を前記管理装置に送信する送信手段と、
を備え、
前記管理装置は、
前記送信手段から送信された前記対応情報を受信する第１通信手段と、
を備え、
前記情報記憶手段は、前記第１通信手段により受信した前記対応情報を記憶する
ことを特徴とする請求項１記載の照明装置発光制御システム。
【請求項３】
前記情報記憶手段は、前記位置情報で特定される位置が受付済か未受付かを判定する受付情報をさらに記憶する、
ことを特徴とする請求項１又は２記載の照明装置発光制御システム。
【請求項４】
前記情報入力装置は、
前記受付手段により、前記位置情報とともに前記照明装置が使用されるイベントを特定するイベント識別子が受け付けられた場合に、
前記受付手段により受け付けられたイベント識別子が前記記憶手段に記憶された記憶済イベント識別子と一致するとき、受け付けられた前記イベント識別子で特定されるイベントが受付対象のイベントであることを判定する判定手段、
を備えることを特徴とする請求項１から３の何れか１項に記載の照明装置発光制御システム。
【請求項５】
前記位置情報は、前記２以上の照明装置が使用される範囲を特定する範囲情報を含み、
前記情報入力装置が前記範囲情報により特定される範囲ごとに設けられることを特徴とする請求項１から４の何れか１項に記載の照明装置発光制御システム。
【請求項６】
前記識別子記憶手段は、前記出力手段との非接触通信を介して前記識別子を記憶することを特徴とする請求項１から５の何れか１項に記載の照明装置発光制御システム。
【請求項７】
前記制御手段は、前記識別子記憶手段に記憶された前記識別子を消去することを特徴とする請求項１から６の何れか１項に記載の照明装置発光制御システム。
【請求項８】
管理装置と、前記管理装置とネットワークを介して接続される２以上の照明装置と、を有する照明装置発光制御システムであって、
前記管理装置は、
前記照明装置が使用される位置を特定する位置情報を受け付ける受付手段と、
前記照明装置を識別する識別子を前記照明装置に出力する出力手段と、
前記受付手段により受け付けられた位置情報と前記出力手段により出力された識別子とを対応させた対応情報、前記照明装置の発光を制御する発光制御情報、を記憶する記憶手段と、
前記２以上の照明装置のうち、前記対応情報に基づいて特定された照明装置に前記発光制御情報を送信する送信手段と、
を備え、
前記照明装置は、
照明手段と、
前記出力手段により出力された識別子を記憶する識別子記憶手段と、
前記送信手段により送信された前記発光制御情報を受信する受信手段と、
前記受信手段により受信した前記発光制御情報に基づいて前記照明手段の発光を制御する制御手段と、
を備えることを特徴とする照明装置発光制御システム。
【請求項９】
照明装置を遠隔制御する管理装置にネットワークを介して接続される情報入力装置であって、
前記照明装置が使用される位置を特定する位置情報を受け付ける受付手段と、
前記照明装置を識別する識別子を前記照明装置に出力する出力手段と、
前記受付手段により受け付けられた位置情報と前記出力手段により出力された識別子とを対応させた対応情報を記憶する記憶手段と、
前記記憶された対応情報を前記管理装置に送信する送信手段と、
を備えることを特徴とする情報入力装置。
【請求項１０】
２以上の照明装置を遠隔制御する管理装置であって、
前記照明装置が使用される位置を特定する位置情報を受け付ける受付手段と、
前記照明装置を識別する識別子を前記照明装置に出力する出力手段と、
前記受付手段により受け付けられた位置情報と前記出力手段により出力された識別子とを対応させた対応情報、前記照明装置の発光を制御する発光制御情報、を記憶する記憶手段と、
前記２以上の照明装置のうち、前記対応情報に基づいて特定された照明装置に前記発光制御情報を送信する送信手段と、
を備えることを特徴とする管理装置。
【請求項１１】
ネットワークを介して接続された管理装置により遠隔制御される照明装置であって、
照明手段と、
前記管理装置とネットワークを介して接続された情報入力装置から出力された、自装置を識別する識別子を記憶する識別子記憶手段と、
前記管理装置から発光制御情報を受信する受信手段と、
前記受信手段により受信した前記発光制御情報に基づいて前記照明手段の発光を制御する制御手段と、
を備えることを特徴とする照明装置。
【請求項１２】
情報入力装置と、前記情報入力装置とネットワークを介して接続された管理装置と、前記管理装置とネットワークを介して接続される２以上の照明装置と、を有するシステムの照明装置発光制御方法であって、
前記情報入力装置は、
前記照明装置が使用される位置を特定する位置情報を受け付けるステップと、
前記照明装置を識別する識別子を前記照明装置に出力するステップと、
を含み、
前記管理装置は、
受け付けた前記位置情報と出力した前記識別子とを対応させた対応情報を記憶部に記憶するステップと、
前記２以上の照明装置のうち、前記対応情報に基づいて特定された照明装置に、前記記憶部に記憶された、前記照明装置が有する照明部の発光を制御する発光制御情報を送信するステップと、
を含み、
前記照明装置は、
前記情報入力装置から出力された識別子を記憶部に記憶するステップと、
前記管理装置から前記発光制御情報を受信するステップと、
受信した前記発光制御情報に基づいて前記照明部の発光を制御するステップと、
を含むことを特徴とする照明装置発光制御方法。
【請求項１３】
照明装置を遠隔制御する管理装置にネットワークを介して接続される情報入力装置の照明装置発光制御方法であって、
前記照明装置が使用される位置を特定する位置情報を受け付けるステップと、
前記照明装置を識別する識別子を前記照明装置に出力するステップと、
前記受け付けられた位置情報と前記出力された識別子とを対応させた対応情報を記憶するステップと、
前記記憶された対応情報を前記管理装置に送信するステップと、
を含むことを特徴とする照明装置発光制御方法。
【請求項１４】
ネットワークを介して２以上の照明装置と接続された管理装置の照明装置発光制御方法であって、
前記照明装置が使用される位置を特定する位置情報を受け付けるステップと、
前記照明装置を識別する識別子を前記照明装置に出力するステップと、
受け付けた前記位置情報と出力した前記識別子とを対応させた対応情報を記憶部に記憶するステップと、
前記２以上の照明装置のうち、前記対応情報に基づいて特定された照明装置に、前記記憶部に記憶された、前記照明装置が有する照明部の発光を制御する発光制御情報を送信するステップと、
を含むことを特徴とする照明装置発光制御方法。
【請求項１５】
請求項１２から１４の何れか１項に記載の照明装置発光制御方法をコンピュータに実行させることを特徴とするプログラム。
【発明の詳細な説明】
【技術分野】
【０００１】
本発明は、照明装置発光制御システム、照明装置発光制御方法、及びプログラムに関する。
【背景技術】
【０００２】
従来から、コンサート会場やスポーツイベント会場等において、ケミカルライトやペンライト等を観客が振る等して、コンサートやスポーツイベント等を楽しむ観覧スタイルが定着している。このような観覧スタイルにより、観客は、アーティストやスポーツ選手らと一体となって、コンサートやスポーツイベント等を楽しむことができる。
【０００３】
また、ペンライト等の照明装置にＩＰアドレスを付与し、無線ＬＡＮ等の無線通信を用いて、観客の座席毎に照明装置を制御する技術が取り入れられ始めている。これに関し、例えば特許文献１には、ペンライトの発光状態を制御するパソコン画面の分割領域に対応する領域の観客席に、この分割領域に付されたアドレスと同じアドレスを付し、このアドレスが設定されたワイヤレスペンライトをその観客席の観客に貸与しておき、このアドレスと色データに基づいて、各色ＬＥＤの発光を制御し、パソコン画面の表示画像と同様の画像を観客席のペンライトによって表示する技術が記載されている。
【先行技術文献】
【特許文献】
【０００４】
【特許文献１】特開２００３−３６９８１号公報
【発明の概要】
【発明が解決しようとする課題】
【０００５】
しかしながら、従来は、特許文献１に記載された上述の技術のように、ＩＰアドレス等のアドレスが予め照明装置毎に固定されているため、観客席ごとにアドレスが固定された照明装置が配布される場合、観客は自分の好みにあった照明装置を選択することができない。
【０００６】
本発明は、このような実情に鑑みてなされたものであって、観客が自分の好みにあった照明装置を選択することができることを目的とする。
【課題を解決するための手段】
【０００７】
上記の課題を解決するため、本発明は、情報入力装置と、情報入力装置とネットワークを介して接続された管理装置と、管理装置とネットワークを介して接続される２以上の照明装置と、を有する照明装置発光制御システムであって、情報入力装置は、照明装置が使用される位置を特定する位置情報を受け付ける受付手段と、照明装置を識別する識別子を照明装置に出力する出力手段と、を備え、管理装置は、受付手段により受け付けられた位置情報と出力手段により出力された識別子とを対応させた対応情報、照明装置の発光を制御する発光制御情報、を記憶する情報記憶手段と、２以上の照明装置のうち、対応情報に基づいて特定された照明装置に発光制御情報を送信する第２通信手段と、を備え、照明装置は、照明手段と、出力手段により出力された識別子を記憶する識別子記憶手段と、第２通信手段により送信された発光制御情報を受信する受信手段と、受信手段により受信した発光制御情報に基づいて照明手段の発光を制御する制御手段と、を備えることを特徴とする。
【発明の効果】
【０００８】
本発明によれば、観客が自分の好みにあった照明装置を選択することができる。
【図面の簡単な説明】
【０００９】
【図１】本発明の実施形態における照明装置発光制御システムの概略構成図である。
【図２】本発明の実施形態における照明装置の発光を制御するための座席構成画面や発光制御プログラムの一例を示す模式図である。
【図３】本発明の実施形態における照明装置発光制御システムの機能ブロック図である。
【図４】本発明の実施形態における管理装置等で記憶する制御データの一例を示す模式図である。
【図５】本発明の実施形態における発光制御処理手順について説明するフローチャートである。
【図６】図１に示した照明装置発光制御システムの変形例に係る概略構成図である。
【図７】図６に示した照明装置発光制御システムに対応する機能ブロック図である。
【発明を実施するための形態】
【００１０】
本発明の実施形態における照明装置発光制御システムについて図面を用いて以下説明する。なお、各図中、同一又は相当する部分には同一の符号を付しており、その重複説明は適宜に簡略化乃至省略する。以下では、本実施形態にかかる照明装置発光制御システムをコンサート等に適用した事例を元に説明するが、これに限られるものではない。例えば、本実施形態にかかる照明装置発光制御システムは、演劇や映画、パレード、あるいは、野球やサッカー等の球技、陸上競技若しくは水泳競技等の各種スポーツイベント等、屋内、屋外を問わず広く適用することができる。
【００１１】
本発明の実施形態における照明装置発光制御システムの概略構成について図１を参照して説明する。本実施形態における照明装置発光制御システム１は、情報入力装置３０と、情報入力装置３０とネットワーク６０を介して接続された管理装置５０と、管理装置５０と無線アンテナ５を用いた無線ネットワークを介して接続される２以上の照明装置１０を有する。チケットＣは、コンサートへ入場する際に必要な入場券であり、券面にはコンサート名、会場名、座席番号、これらをコード化したバーコード等が記載されている。なお、無線アンテナ５は会場内の任意の箇所に設置されるが、会場の広さや無線通信に用いる電波の出力等に応じて複数台設置することが好ましい。
【００１２】
なお、情報入力装置３０と管理装置５０とを接続するネットワークは、有線でも無線でも何れでもよい。他方、管理装置５０と照明装置１０とを接続するネットワークは上記の通り、無線ネットワークであることが好ましい。これは、有線ネットワークとすると、コンサート等において観客が座席から立ち上がってアーティスト等に声援を送る際に動ける範囲が制限される等、煩わしいためであるが、他方、観客が座席から立ち上がる必要の無いコンサート等であれば、有線ネットワークであってもよい。
【００１３】
照明装置１０は、例えばペンライトやライトスティック等の照明デバイスであり、例えばコンサート会場等で、観客が歌やダンス等に合わせて振る等して、アーティスト等との一体感を楽しむため等に用いるものである。観客一人ひとりが照明装置１０を所持するものあるが、本図では図示の便宜上、例えば照明部の形状が異なる照明装置１０ａ、１０ｂ、１０ｃの３つの照明装置を示している。
【００１４】
これらの照明装置１０には、それぞれを識別するため、ＩＰアドレス、機器に固有の番号、電話番号等、管理装置５０が照明装置１０と通信をする際に照明装置１０を特定する識別子が付与されていることが好ましい。また、ＩＰアドレス等は、例えばコンサート会場の座席番号に対応させておくことが好ましい。
【００１５】
また、これらの照明装置１０は、例えばコンサート会場等において、コンサートが始まる前等に観客がコンサート会場に設けられたコンサートグッズを販売する売店等で購入する等して予め入手しておくことが好ましい。また、コンサートの主催者が用意するペンライトの中から自分の好みのペンライトを選び、受け取ることとしてもよい。他方、観客が事前にコンサート会場とは別の場所や通信販売等で購入、あるいは以前に行ったことがあるコンサートにおいて購入等していた照明装置１０をコンサート会場に持ち込んで再利用することとしてもよい。これにより、観客は自分の好みに合った照明装置１０を選択することができる。また、観客は、これらの照明装置１０を一人で複数台、所持してもよい。この場合、１つの座席番号に複数のＩＰアドレスを対応させることが好ましい。
【００１６】
情報入力装置３０は、例えばコンサート会場入口において観客の入場等を受け付けるために設置される、パーソナルコンピュータ（以下「ＰＣ」という。）やタブレット型端末、タッチパネルを備えたキオスク端末と呼ばれる装置等、情報を入力するための装置である。なお、情報入力装置３０は、受付に複数台設置することとしてもよい。情報入力装置３０は、例えばスキャナ等の受付部３１とリーダライタ等の出力部３２を備えていることが好ましい。なお、本図では情報入力装置３０をノート型ＰＣとして描いているが一例であり、ノート型ＰＣに限定されないことは言うまでもない。
【００１７】
受付部３１は、観客が所持するチケット等に記載された文字情報やバーコード等を読み取るための装置である。本実施形態においては、受付部３１は、チケット等に記載された座席番号等の位置情報、を文字情報やバーコードを介して読み取る。また、コンサート名、コンサート会場及びコンサート開催日時等のイベントを特定するイベント識別子も同様に読み取るようにしてもよい。
【００１８】
出力部３２は、例えばＮＦＣ（Ｎｅａｒ  Ｆｉｅｌｄ  Ｃｏｍｍｕｎｉｃａｔｉｏｎ）やＲＦＩＤ等を用いた非接触の近距離無線通信により、照明装置１０に内蔵されたＩＣチップへ上述のＩＰアドレス等を書込むための装置である。なお、以下ではＩＰアドレスの書込み等を非接触通信で行う例に基づいて説明するが、非接触通信に限らず接触式の通信方法を採用できることとしてもよい。
【００１９】
管理装置５０は、コンサートに関する各種情報や照明装置を制御するための制御データ等を記憶・管理するための装置である。管理装置５０としては、例えばＰＣやタブレット型端末、あるいはサーバ等であってもよい。管理装置５０の詳細については後述する。
【００２０】
次に、管理装置５０において、照明装置１０の発光を制御するための、例えばコンサート会場等の座席構成画面表示例、及び照明発光プログラムの一例について図２を参照して簡単に説明する。
【００２１】
例えば、図２（ａ）には、上側のステージに対向して観客席が複数配置された表示画面例が示されている。ここでは、観客席として、「Ａ０１〜１１、Ｂ０１〜０５、Ｃ０１〜０５、Ｄ０１〜０５、Ｅ０１〜０５」の座席番号が割り当てられた例を示しているが一例であり、これらに限定されないことは言うまでもない。また、画面右側には座席に着く観客が所持する照明装置１０の発光色を指定するための色指定アイコンとして、赤アイコンＲ、黄アイコンＹ、青アイコンＢ、指定を取り消すための取消アイコンＤが表示されているが、これも一例であり、これ以外の指定アイコンを表示させてもよい。なお、本実施形態において、座席番号の接頭に付されたＡ〜Ｅ等はコンサート会場における特定の範囲を示すものとして説明する。
【００２２】
例えば、コンサートの管理者は、管理装置５０に備えられた不図示のマウスやキーボードに対する入力操作や、管理装置５０のディスプレイに備えられた不図示のタッチパネル等へのタッチ操作により、指示アイコンＡを動かす。マウスを用いた操作を例にすれば、観客席「Ａ０１」に着く観客が所持する照明装置１０の発光色を「赤」にしたいとき、管理者は、マウスにより赤アイコンＲの所へ指示アイコンＡを動かし、赤アイコンＲの位置でクリックし、その後、観客席「Ａ０１」の所へ指示アイコンＡを動かし、座席「Ａ０１」の位置でクリックすればよい。
【００２３】
図２（ｂ）は、照明装置１０の発光を制御する発光制御プログラムの一例を示したものである。ここでは、第１音楽が始まると（ｍｕｓｉｃ  ｓｔａｒｔ）、Ａ０１〜０３、Ｂ０１〜０３及びＣ０１〜０３の座席番号に対応する照明装置１０の照明が青色発光し（ｂｌｕｅ  ｏｎ）、その後、Ａ０１〜０３、Ｂ０１及びＣ０１が消灯し（ｂｌｕｅ  ｏｆｆ）、次に、Ｂ０２〜０４、Ｃ０２〜０４及びＤ０２〜０４の座席番号に対応する照明装置１０の照明が赤色発光し（ｒｅｄ  ｏｎ）、その後、Ｂ０２〜０４、Ｃ０２及びＤ０２が消灯し（ｒｅｄ  ｏｆｆ）、Ｃ０３〜０５、Ｄ０３〜０５及びＥ０３〜０５の座席番号に対応する照明装置１０の照明が黄色発光し（ｙｅｌｌｏｗ  ｏｎ）、その後、Ｃ０３〜０５、Ｄ０３及びＥ０３が消灯し（ｙｅｌｌｏｗ  ｏｆｆ）、さらに第２音楽が始まると（ｍｕｓｉｃ  ｓｔａｒｔ）、Ａ０１〜１１の座席番号に対応する照明装置１０の照明が５秒間、赤色発光の後、青色発光し（ｒｅｄ  ｏｎ  ５ｓ  ｔｏ  ｂｌｕｅ  ｏｎ）、さらに第３音楽が始まると（ｍｕｓｉｃ  ｓｔａｒｔ）、全ての座席番号に対応する照明装置１０の照明が１０秒間、白色点滅する（Ｗｈｉｔｅ  ｂｌｉｎｋ  ｆｏｒ  １０ｓ）発光制御プログラムを示している。発光制御プログラムを用いた照明装置１０の発光制御処理手順については後述する。
【００２４】
次に、本実施形態における照明装置発光制御システム１に係る機能ブロックについて図３を参照して説明する。まず、本実施形態において、情報入力装置３０は、受付部３１と、出力部３２と、記憶部３３と、通信部３４と、制御部３５と、入力部３６と、表示部３７を備えている。
【００２５】
受付部３１は、照明装置１０が使用される位置を特定する位置情報を受け付ける受付手段であり、例えば、図１に示したスキャナに相当する。本実施形態においては、受付部３１は、例えば観客が持参するチケット等に記載された座席番号等の文字情報や、これらの情報をコード化したバーコード等を読み取る。照明装置１０が使用される位置を特定する位置情報には上記の座席番号が相当する。なお、スキャナは外付けタイプであってもよく、その場合はＵＳＢ等のインタフェースを介して情報入力装置３０に接続されることが好ましい。
【００２６】
また、受付部３１は、座席番号等の位置情報とともに照明装置１０が使用されるイベント名や会場、日時等のイベントを特定するイベント識別子を受け付けてもよい。さらに、上記位置情報には、２以上の照明装置１０が使用される範囲を特定する範囲情報を含んでもよい。例えば、図１に示すチケットＣの「Ａ３０」のうち、「Ａ」が範囲情報であり、「３０」が座席番号であるが一例であり、これらに限定されるものではない。なお、範囲情報とは、例えば、コンサート会場の観客席をいくつかのブロックに分けた場合の各ブロック名等である。
【００２７】
出力部３２は、照明装置１０を識別する識別子を照明装置１０に出力する出力手段であり、例えば図１に示したリーダライタに相当する。出力部３２は、照明装置１０の非接触型ＩＣにＩＰアドレス等の識別子を書込むための装置である。
【００２８】
記憶部３３は、受付部３１により受け付けられた位置情報と出力部３２により出力された識別子とを対応させた対応情報を記憶するＨＤＤやＳＳＤ、フラッシュメモリ等の記憶手段である。具体的には、記憶部３３は、受付部３１により読み込まれた座席番号と出力部３２により照明装置１０の非接触型ＩＣに書込むＩＰアドレスを対応させた対応情報を記憶する。本実施形態においては、この対応情報を以下「受付データ」とする。
【００２９】
通信部３４は、記憶部３３に記憶された対応情報を管理装置５０に送信する送信手段である。なお、通信部３４が管理装置５０から送信された情報等を受信する機能を備えていることは言うまでもない。
【００３０】
制御部３５は、例えば、受付部３１により受け付けられたイベント識別子が記憶部３３に記憶された記憶済イベント識別子と一致するとき、受け付けられたイベント識別子で特定されるイベントが受付対象のイベントであることを判定する判定手段として機能することが好ましい。これにより、例えば、観客の所持するチケットが開催されるコンサートの入場に必要な正規のチケットかどうかを判別することが可能になる。本処理を含み、制御部３５は、上記以外の情報入力装置３０における各処理を制御するＣＰＵ等である。
【００３１】
入力部３６は、不図示のキーボードやマウス等の入力デバイス、又は、表示部３７に設けられたタッチパネル等である。表示部３７は、液晶ディスプレイや有機ＥＬディスプレイ等であり、例えば、上記のスキャナ３１で読み込んだ座席番号等の情報を表示する。
【００３２】
管理装置５０は、第１通信部５１と、情報記憶部５２と、第２通信部５３と、制御部５４と、入力部５５と、表示部５６を備えている。なお、第１通信部５１と、第２通信部５３とは、通信する対象が情報入力装置３０と、照明装置１０とで異なることを示すために便宜的に定義した名称に過ぎず、例えば、管理装置５０、情報入力装置３０、照明装置１０の間の通信方式が同一であれば、第１通信部５１と第２通信部５３とを合わせた１つの通信部であってもよい。
【００３３】
第１通信部５１は、情報入力装置３０の通信部３４から送信された受付データを受信する第１通信手段である。第１通信部５１は、例えばＬＡＮやＷＡＮ等の通信インタフェースである。
【００３４】
情報記憶部５２は、第１通信部５１により受信した受付データ、照明装置１０の発光を制御する発光制御情報、を記憶するＨＤＤやＳＳＤ、フラッシュメモリ等の情報記憶手段である。なお、発光制御情報とは、例えば上述した発光制御プログラム等をいう。より具体的には、コンサート等のイベントに連動するように各照明装置１０に対する発行色や発光、消灯のタイミング等を記述した制御プログラム等であることが好ましい。また、情報記憶部５２は、座席番号で特定される座席が受付済か未受付かを判定する受付情報をさらに記憶することが好ましい。
【００３５】
第２通信部５３は、２以上の照明装置１０のうち、受付データに基づいて特定された照明装置に発光制御情報を送信する第２通信手段である。本実施形態においては、図１を用いて説明したように、無線アンテナ５を用いた無線通信により照明装置１０との通信が行われることが好ましい。ただし、上述に記載したように、有線通信により照明装置１０に発光制御情報等を送信することとしてもよい。
【００３６】
制御部５４は、管理装置５０の各機能ブロックを制御するＣＰＵ等の制御手段である。また、入力部５５は、管理装置５０に対する指示等を入力するマウスやキーボード、あるいはタッチパネルである。さらに、表示部５６は、図２に示した座席構成画面等を表示する、例えば液晶ディスプレイや有機ＥＬディスプレイ等である。
【００３７】
照明装置１０は、照明部１１と、識別子記憶部１２と、通信部１３と、制御部１４と、電源部１５と、スイッチ部１６を備えている。
【００３８】
照明部１１は、例えばＬＥＤや有機ＥＬ等の光源を発光させ、管理装置５０から送信された発光制御情報に応じた色の光を発光等する照明手段である。なお、照明部１１に発光させる色は単色でも多色でもよい。
【００３９】
識別子記憶部１２は、出力部３２により出力されたＩＰアドレスを記憶する識別子記憶手段である。識別子記憶部１２は、出力部３２との間で、例えばＮＦＣやＲＦＩＤ等の非接触の近距離無線にて読み書き可能に情報を記憶する非接触型読み書きＩＣであることが好ましい。なお、ＩＰアドレス等の識別子を記憶するフラッシュメモリやＲＡＭ等の通信設定記憶部を別途備えてもよい。この場合、制御部１４により、非接触型読み書きＩＣに記憶されたＩＰアドレス等を通信設定記憶部に記憶してもよい。他方、通信部１３が非接触型読み書きＩＣに記憶されたＩＰアドレス等を直接読み込めば、通信設定記憶部を不要としてもよい。
【００４０】
通信部１３は、管理装置５０の第２通信部５３により送信された発光制御情報を受信する受信手段として機能する。なお、通信部１３は、管理装置５０に対して所定のデータ等を送信する送信手段としての機能を有することは言うまでもない。
【００４１】
制御部１４は、通信部１３により受信した発光制御情報に基づいて照明部１１の発光を制御する制御手段である。なお、制御部１４は照明装置１０の上述した各部を制御する。
【００４２】
電源部１５は、充電池、乾電池等を用いて照明デバイスを駆動する。スイッチ部１６は、制御部１４等の各部への電源部１５からの電源供給を切り替える電源切替スイッチである。電源切替のモードとして、例えば、各部への電源を遮断する「電源ＯＦＦモード」、制御部１４や通信部１３等への電源を供給して照明装置１０のシステムを起動する「システムＯＮモード」、観客の意思で、照明部１１を強制発光させる「発光ＯＮモード」等を備えていることが好ましい。「システムＯＮモード」は、管理装置５０からの発光制御情報の受信を待機している状態である。発光制御情報を受信するまでは、照明部１１を発光しなくてよい。なお、これらのモードは一例であって、これら以外の切替モードを備えることを妨げるものではない。
【００４３】
次に、本実施形態における管理装置５０や情報入力装置３０に記憶するデータについて図４を参照して説明する。図４（ａ）は、管理装置５０にて各種データを集中記憶させる場合の各種データの一例を示し、図４（ｂ）は、情報入力装置３０に各種データを分散記憶させる場合の各種データの一例を示したものである。後者の場合、例えば、コンサート会場が上述した「Ａブロック」、「Ｂブロック」等のように分かれている場合で、各ブロックへの入場口ごとに情報入力装置３０が設けられている場合、各情報入力装置３０から管理装置５０へ各種データを要求すると、例えば通信が混みあって受付処理がスムーズに進まなくなること等が想定されるため、これを防止するために、予め各情報入力装置３０に受付処理等のためのデータを記憶させておくことが好ましい。
【００４４】
まず、管理装置５０で情報記憶部５２に集中記憶させる場合の各種データの一例について説明する。管理装置５０は、今回開催するコンサートのイベント識別子、照明制御データ、ＩＰアドレス割当データを記憶する。
【００４５】
今回開催するコンサートのイベント識別子は、観客が所持する入場チケットのバーコード等から読み込んだイベント識別子と照合するために用いるものである。本実施形態では、イベント識別子が例えば「ｉ２０１４０６０１１８００○○Ｈ」となっているが、一例でありこれに限られないことは言うまでもない。
【００４６】
照明制御データは、座席番号、受付状況、各照明装置１０との接続状況、ＩＰアドレス、及び各照明装置１０に内蔵される非接触ＩＣのＩＣ番号を対応させたデータであり、管理装置５０が照明装置１０との通信を制御するために用いるものである。なお、本図に示した照明制御データの構造は一例であり、これに限定されるものではない。なお、照明制御データにおいて、座席番号とＩＰアドレスとの対応関係を示す受付データの構成が含まれていることは言うまでもない。
【００４７】
ＩＰアドレス割当データは、ＩＰアドレスと割当状況を対応させたデータである。これにより、各照明装置１０にＩＰアドレスが割り当て済かどうかを判定することができる。割当状況は、例えば「割当済」と「未割当」等で示せばよい。
【００４８】
管理装置５０で情報記憶部５２と情報入力装置３０の記憶部３３とに分散記憶させる場合の各種データの一例について説明する。管理装置５０は、照明制御データを記憶する。情報入力装置３０は、今回開催するコンサートのイベント識別子、受付データ、ＩＰアドレス割当データを記憶する。なお、管理装置５０で集中記憶させるデータと同一のデータについての説明は省略する。
【００４９】
受付データは、上述したように、座席番号とＩＰアドレスとの対応関係を示す対応情報であり、これに座席番号が受付済か未受付かを示す受付状況を加えたものである。
【００５０】
照明制御データは、管理装置５０で集中記憶させる場合と異なり、座席番号とＩＰアドレスとの対応情報に、各照明装置１０との接続状況を加えたものである。
【００５１】
次に、本実施形態における発光制御処理手順について、管理装置５０で各種データを集中記憶する場合を例に図５を参照して説明する。本処理手順の前提として、例えば、観客は、コンサート会場の入場受付にて、情報入力装置３０のタッチパネルの「受付開始」をタッチ選択する。これにより、受付処理が開始される。また、観客は情報入力装置３０のディスプレイに表示された指示等に従い、持参したチケットのバーコードをスキャナ等の受付部３１にかざし、ペンライト等の照明装置１０をリーダライタ等の出力部３２に近接させる（以降はスキャナ、ペンライト、リーダライタの用語を用いて説明する）。なお、観客が、情報入力装置３０に対して操作することなく、受付の係員がコンサートチケットとペンライトを観客から受け取り、情報入力装置３０に対して操作しても良い。また、今回開催するコンサートのチェックは、受付の係員による目視でのチェックでも良い。さらに、座席番号は、スキャナによるバーコード等の読取に代えて、受付の係員によるキーボード等による入力でもよい。
【００５２】
まず、予め、情報入力装置３０は、記憶部３３に、今回開催するコンサートのイベント識別子を、管理装置５０等から通信部３４を介して受信して記憶しておくことが好ましい。
【００５３】
続いて、情報入力装置３０の制御部３５は、表示部３７のタッチパネルにて「受付開始」が選択されると、受付処理を開始する（ステップＳ１）。
【００５４】
次に、制御部３５は、「チケットのバーコードをスキャナにかざしてください」等のメッセージを表示部３７に表示する（ステップＳ２）。なお、上記のメッセージを表示部３７に表示しておき、スキャナにてバーコードが読み取られると、受付処理を開始するようにしてもよい。
【００５５】
制御部３５は、スキャナにてバーコードが読み取られると、読み取ったバーコードの番号に含まれるイベント識別子と、予め記憶部３３に記憶されている今回開催するコンサートのイベント識別子とを比較・照合する（ステップＳ３）。
【００５６】
制御部３５は、読み取ったバーコード番号に含まれるイベント識別子と記憶部３３に記憶済のイベント識別子とが一致するとき（ステップＳ３、ＹＥＳ）、次の処理に進む。なお、両者が一致しないとき（ステップＳ３、ＮＯ）、表示部３７に例えば「イベント識別子が一致しません」等のエラーを表示する（ステップＳ１０）。
【００５７】
次に、制御部３５は、読み取ったバーコードの番号に含まれる、座席番号を管理装置５０に送信する。管理装置５０の制御部５４は、受信した座席番号が情報記憶部５２に記憶されている照明制御データの受付状況が「未受付」か「受付済」か、を判定し、その受付状況の結果を情報入力装置３０に返す（ステップＳ５）。
【００５８】
管理装置５０の制御部５４は、受付状況を「未受付」と判定したとき（ステップＳ５、ＹＥＳ）、情報記憶部５２に記憶された照明制御データの受付状況が「受付済」に変更される（ステップＳ６）。他方、受付状況が「受付済」と判定した場合、その受付状況の結果を受信した情報入力装置３０の制御部３５は表示部３７に例えば「その座席番号は既に受け付けられています」等のエラーを表示する（ステップＳ１１）。
【００５９】
次に、情報入力装置３０の制御部３５は、表示部３７に「ペンライトをリーダライタにタッチしてください。ペンライトをお持ちでない場合は、終了をタッチしてください。」等のメッセージをディスプレイに表示する（ステップＳ７）。
【００６０】
そして、情報入力装置３０の制御部３５は、リーダライタにて、ペンライトとの非接触ＩＣ通信が行われると、管理装置５０にＩＰアドレスを要求し（ステップＳ８）、管理装置５０の制御部５４は、情報記憶部５２に記憶されたＩＰアドレス割当データからまだ割り当てていないＩＰアドレスを読み込み、読み込んだＩＰアドレスを情報入力装置３０に送信し、情報入力装置３０の制御部３５は、受信したＩＰアドレスをリーダライタを用いて、ペンライトの非接触型読み書きＩＣに書き込む（ステップＳ９）。この際に、情報入力装置３０の制御部３５は、非接触型読み書きＩＣを識別するＩＣ番号を読み込んで、管理装置５０に送信し、管理装置５０の制御部５４は、照明制御データに、ＩＣ番号を座席番号と対応付けて記憶しても良い。
【００６１】
なお、割り当てられたＩＰアドレスは、管理装置５０の情報記憶部５２に記憶されている照明制御データの座席番号に対応付けて記憶され、ＩＰアドレス割当データに割り当てたＩＰアドレスを割当済として記憶する。また、本処理は、コンサート会場に来場する観客全てのペンライトへＩＰアドレスを割り当てるまで繰り返されることは言うまでもない（ステップＳ９→ステップＳ１）。
【００６２】
情報入力装置３０で各種データを分散記憶する場合の照明装置発光制御処理手順については、上述した管理装置５０で各種データを集中記憶する場合とは、図４を用いて説明したように、主として、受付処理に必要な各種データ（今回開催するコンサートのイベント識別子、受付データ、ＩＰアドレス割当データ）を情報入力装置３０が予め管理装置５０から取得し、記憶部３３に記憶しておく点と管理装置５０に問い合わせしない点が異なる。管理装置５０で集中記憶させる場合と同様の手順については、説明を省略する。
【００６３】
ステップＳ５において、制御部３５は、読み取ったバーコードの番号に含まれる、座席番号が記憶部３３に記憶されている受付データの受付状況が「未受付」か「受付済」か、を判定する。制御部３５は、受付状況が「未受付」と判定したとき（ステップＳ５、ＹＥＳ）、記憶部３３に記憶された受付データの受付状況を「受付済」に変更する（ステップＳ６）。他方、受付状況が「受付済」と判定した場合、制御部３５は表示部３７に例えば「その座席番号は既に受け付けられています」等のエラーを表示する（ステップＳ１１）。
【００６４】
そして、ステップＳ８にて、制御部３５は、リーダライタにて、ペンライトとの非接触ＩＣ通信が行われると、記憶部３３に記憶されたＩＰアドレス割当データからまだ割り当てていないＩＰアドレスを読み込み、読み込んだＩＰアドレスをリーダライタを用いて、ペンライトの非接触型読み書きＩＣに書き込む（ステップＳ９）。なお、割り当てられたＩＰアドレスは、記憶部３３に記憶されている受付データの座席番号に対応付けて記憶され、ＩＰアドレス割当データに割り当てたＩＰアドレスを割当済として記憶する。
【００６５】
なお、情報入力装置３０で各種データを分散記憶する場合、受付処理の終了後、情報入力装置３０の制御部３５は、受け付けた座席番号とＩＰアドレスとの対応情報としての受付データを通信部３４を用いて管理装置５０に送信し、管理装置５０の制御部５４は、受付データを第１通信部５１に受信すると、情報記憶部５２の照明制御データに受付データに含まれる座席番号とＩＰアドレスとの対応を記憶する。情報入力装置３０で各種データを分散記憶させることにより、図４の説明において述べたように、例えばコンサート会場が複数ブロックに分かれ、ブロック毎に情報入力装置３０が設置された場合に、各情報入力装置３０から管理装置５０への通信が集中することを防ぐことができるため、受付をスムーズに処理することが可能となる。
【００６６】
次に、照明装置１０にＩＰアドレスが割り当てられた後の、照明装置１０の運用手順の概要について簡単に説明する。まず、観客は、コンサート会場に入った後、照明装置１０のスイッチ部１６を用いて電源スイッチを電源ＯＦＦモードからシステムＯＮモードに切り替える。
【００６７】
照明装置１０の制御部１４は、スイッチ部１６がシステムＯＮモードに切り替えられると、識別子記憶部１２に記憶されているＩＰアドレスを消去し、非接触ＩＣに書き込まれたＩＰアドレスを読み込む。そして、制御部１４は、読み込んだＩＰアドレスを識別子記憶部１２に記憶し、自機のＩＰアドレスとして設定する。
【００６８】
照明装置１０の制御部１４は、識別子記憶部１２に記憶されたＩＰアドレスを用いて、通信部１３を介して管理装置５０とネットワーク接続する。管理装置５０の制御部５４は、照明装置１０との最初の通信が行われた際に、通信が行われた照明装置１０のＩＰアドレスに対応する情報記憶部５２に記憶された照明制御データの接続状況を「未接続」から「接続済」に変更して記憶するようにしても良い。
【００６９】
その後、コンサートが開始されると、管理者は、管理装置５０の情報記憶部５２に記憶された発光制御情報としての制御プログラムを実行する。この制御プログラムは、例えば、予め演奏に連動するように発光色を点灯させるプログラムや、発光／消灯のタイミングを記述したプログラムである。また、管理者は、表示部５６に表示された座席を指定して、その座席番号に対応する照明装置１０に発光指示を出しても良い。
【００７０】
具体的に、管理装置５０の制御部５４は、情報記憶部５２に記憶された制御プログラム（図２参照）が実行されると、本プログラムにより、指定されたタイミングで、指定された発光色の光のＯＮ／ＯＦＦを制御する発光制御情報を、第２通信部５３を用いて、指定された座席番号に対応する照明装置１０に送信する。管理装置５０の第２通信部５３は、発光制御情報を照明装置１０に送信する際に、指定された座席番号に対応する照明装置１０のＩＰアドレスを情報記憶部５２に記憶された照明制御データから読み出し、そのＩＰアドレス先に発光制御情報を送信する。ここで、照明制御データにて、指定された座席番号に対応するＩＰアドレスの接続状況が、「未接続」である照明装置１０には発光制御情報を送信しなくてもよい。
【００７１】
照明装置１０の制御部１４は、通信部１３に発光制御情報を受信すると、発光制御情報に含まれる光のＯＮ／ＯＦＦ制御情報や発光色制御情報に合わせて、照明部１１の発光（点灯、点滅等）や消灯、発光色の変更等を行う。ここで、照明部１１の消灯は、発光制御情報に含まれる光のＯＦＦ制御情報を用いずに、発光後、既定の時間（例：３秒）後に、自動的に消灯するようにしてもよい。発光制御情報は、「赤色の光をＯＮ」のように、１つの光のアクション毎に送信しても、「赤色の光をＯＮにして５秒後に青色の光に変更」２以上の光のアクションを１回に送信しても良く、「１０秒間白色の点滅を繰り返す」などの時間情報や回数情報を含めても良い。
【００７２】
なお、今回のコンサートの終了時に、管理装置５０の制御部５４は、情報記憶部５２に記憶された照明制御データに記憶されている各ＩＰアドレスの照明装置１０に対し、識別子記憶部１２に記憶されたＩＰアドレスを消去する命令を、第２通信部５３を用いて送信してもよい。その場合、照明装置１０の制御部１４は、通信部１３に消去する命令を受信すると、識別子記憶部１２に記憶されているＩＰアドレスを消去することが好ましい。また、照明装置１０の制御部１４は、スイッチ部１６が電源ＯＦＦモードに切り替わると、識別子記憶部１２に記憶されているＩＰアドレスを消去してから、電源を切るようにしてもよい。また、識別子記憶部１２に記憶されているＩＰアドレスを消去する際に、非接触ＩＣに書き込まれたＩＰアドレスも消去するようにしても良い。
【００７３】
[変形例]
次に、本実施形態の変形例に係る照明装置発光制御システム１ａの概略について図６及び図７を参照して説明する。なお、上述した本実施形態に係る照明装置発光制御システム１と同様の構成については説明を省略する。つまり、本変形例では、管理装置５０ａが照明装置発光制御システム１における情報入力装置３０の機能を含んだ一体型である点が照明装置発光制御システム１と異なる。よって、図７に示すように、管理装置５０ａは、照明装置発光制御システム１における第１通信部５１に相当する通信部が不要となり、スキャナに相当する受付部５９、リーダライタに相当する出力部５８を備える。
【００７４】
なお、上述する各実施の形態は、本発明の好適な実施の形態であり、本発明の要旨を逸脱しない範囲内において種々変更実施が可能である。例えば、上述した本実施形態における各処理を、ハードウェア、又は、ソフトウェア、あるいは、両者の複合構成を用いて実行することも可能である。
【００７５】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００７６】
また、情報入力装置３０の制御部３５は、リーダライタにて、照明装置１０の非接触ＩＣと通信が行われると、ＩＰアドレスだけでなく、イベント識別子又は座席番号の少なくとも１つを照明装置１０の非接触ＩＣに書き込んでもよい。これは、照明装置１０に割り当てられたＩＰアドレスがどのコンサートのときに使用されたか等を判別する等、照明装置１０を管理するためである。これにより、例えばある観客が受付を通らずにコンサート会場に照明装置１０を持ち込んで使用する場合等に、その照明装置１０に割り当てられたＩＰアドレスと今回割り当てられるＩＰアドレスの衝突を避けることが可能となる。
【００７７】
なお、上記の場合、照明装置１０の制御部１４は、スイッチ部１６によりシステムＯＮモードに切り替わると、フラッシュメモリやＲＡＭ等の通信設定記憶部にＩＰアドレスを記憶する際、非接触ＩＣに記憶されているイベント識別子、座席番号を一旦他の記憶領域に記憶し、管理装置５０とネットワーク接続する際に送信してもよい。
【００７８】
そして、管理装置５０の制御部５４は、受信したイベント識別子と、今回開催するコンサートのイベント識別子とを比較し、相違する場合は、そのイベント識別子を送信してきた照明装置１０に対し、例えば赤色の点滅を発光する等によりエラーを通知し、ＩＰアドレスを消去する命令を送信することが好ましい。また、情報入力装置３０に対し、ＩＰアドレス割当データの中から、相違するイベント識別子の送信時に使われたＩＰアドレスを割り当てを無効にする命令を送信してもよい。
【００７９】
また、管理装置５０の制御部５４は、受信した座席番号とその送信時に使われたＩＰアドレスの対応情報と、情報記憶部５２に記憶された照明制御データの座席番号とＩＰアドレスの対応情報とが、不一致の場合は、同様に、照明装置１０に対し、ＩＰアドレスを消去する命令や、情報入力装置３０に対し、ＩＰアドレス割り当てを無効にする命令を送信するようにしてもよい。
【符号の説明】
【００８０】
１    照明装置発光制御システム
５    無線アンテナ
１０    照明装置
１１    照明部
１２    識別子記憶部
１３、３４、５７    通信部
１４、３５、５４    制御部
１５    電源部
１６    スイッチ部
３０    情報入力装置
３１、５９    受付部
３２、５８    出力部
３３    記憶部
３６、５５    入力部
３７、５６    表示部
５０    管理装置
５１    第１通信部
５２    情報記憶部
５３    第２通信部
６０    ネットワーク
【図１】
2016122638.tif 000003
【図２】
2016122638.tif 000004
【図３】
2016122638.tif 000005
【図４】
2016122638.tif 000006
【図５】
2016122638.tif 000007
【図６】
2016122638.tif 000008
【図７】
2016122638.tif 000009